(57)【要約】【課題】ＦＰＣがインシュレータから外れることを防止できる電気コネクタを提供する。【解決手段】本発明の電気コネクタは、ＦＰＣを収容するための収容空間が形成されたインシュレータと、収容空間に向かって延出するように形成されるコンタクト部を有し、前記インシュレータに装着される導電端子と、枢支部を有し、前記インシュレータに組み付けられるアクチュエータとを含み、前記アクチュエータには、ＦＰＣに係合するための係合部と、ＦＰＣの端部に押圧するための押圧部とが突出するように形成されることを特徴とする。係合部がＦＰＣに係合し、押圧部がＦＰＣの端部に押圧することにより、ＦＰＣがインシュレータから外れることが防止できる。【選択図】図３
2007250524.tif 000002
【特許請求の範囲】
【請求項１】
ＦＰＣを収容するための収容空間が形成されたインシュレータと、
収容空間に向かって延出するように形成されるコンタクト部を有し、前記インシュレータに装着される導電端子と、
枢支部を有し、前記インシュレータに組み付けられるアクチュエータと
を含み、ＦＰＣを連接するための電気コネクタにおいて、
前記アクチュエータには、ＦＰＣに係合するための係合部と、ＦＰＣの端部に押圧するための押圧部とが突出するように形成されることを特徴とする電気コネクタ。
【請求項２】
前記係合部の突出する高さは前記押圧部の突出する高さより高くなっていることを特徴とする、請求項１に記載の電気コネクタ。
【請求項３】
前記押圧部は、前記ＦＰＣの挿入方向で係合部より前記枢支部に接近していることを特徴とする、請求項１または請求項２に記載の電気コネクタ。
【請求項４】
前記インシュレータに、前記アクチュエータの係合部と押圧部とを収容するための貫通溝が形成されることを特徴とする、請求項１に記載の電気コネクタ。
【請求項５】
前記係合部が前記貫通溝を貫通してＦＰＣに係合し、前記押圧部が前記貫通溝を貫通してＦＰＣを押圧していることを特徴とする、請求項４に記載の電気コネクタ。
【請求項６】
前記アクチュエータには、前記係合部の一側に形成される錠止部を有し、前記インシュレータには、前記錠止部を収容するための錠止溝が対応し形成されることを特徴とする、請求項１に記載の電気コネクタ。
【発明の詳細な説明】
【技術分野】
【０００１】
本発明は、電気コネクタに関し、特に、ＦＰＣ、ＦＦＣ等と一般に呼ばれている平型柔軟ケーブル（この明細書では、これらを総称して単に「ＦＰＣ」という）をプリント基板に接続するために用いられるＦＰＣ用電気コネクタに関するものである。
【背景技術】
【０００２】
従来技術の電気コネクタの一例として、特許文献１に開示された電気コネクタが知られ、この電気コネクタは、ＦＰＣを収容するための挿入空間が設けられたインシュレータと、前記インシュレータに装着された導電端子と、インシュレータに開放状態と閉鎖状態との間で回転可能に組み付けられるアクチュエータとを含む。アクチュエータが開放状態において、ＦＰＣがインシュレータの挿入空間へゼロ挿入力で挿入され、アクチュエータが閉鎖状態において、その主体部が挿入空間に収容されたＦＰＣを押圧して、ＦＰＣを導電端子に電気的に接続させる。
【特許文献１】米国特許出願公開第２００４/００２３５５１号明細書
【発明の開示】
【発明が解決しようとする課題】
【０００３】
閉鎖状態において、インシュレータの挿入空間に挿入されたＦＰＣは、前記アクチュエータの押圧力及び、導電端子に接触することにより摩擦抵抗力のみによりインシュレータの挿入空間に保持されている。しかしながら、外力を受ける際に、ＦＰＣがインシュレータから外れる恐れがあり、ＦＰＣと導電端子との間の接続を安定して維持することができなくなる。そこで、上述した欠点に鑑みて、新型の電気コネクタを開発することが必要である。
【０００４】
本発明は、ＦＰＣがインシュレータから外れることを防止できる電気コネクタを提供することを目的とする。
【課題を解決するための手段】
【０００５】
前記目的を達成するために、本発明の電気コネクタは、ＦＰＣを収容するための収容空間が形成されたインシュレータと、収容空間に向かって延出するように形成されるコンタクト部を有し、前記インシュレータに装着される導電端子と、枢支部を有し、前記インシュレータに組み付けられるアクチュエータとを含み、前記アクチュエータには、ＦＰＣに係合するための係合部と、ＦＰＣの端部に押圧するための押圧部とが突出するように形成されることを特徴とする。
【発明の効果】
【０００６】
従来の技術に比べると、本発明は以下の長所がある。電気コネクタは、アクチュエータに係合部と押圧部とがそれぞれ形成され、係合部がＦＰＣに係合し、押圧部がＦＰＣの端部に押圧することにより、ＦＰＣがインシュレータから外れることが防止できる。
【発明を実施するための最良の形態】
【０００７】
図１〜図６に基づいて、本発明の電気コネクタの第１実施形態について説明する。本実施形態において、本発明の電気コネクタは、ＦＰＣ６と回路基板５とを電気的に接続するのに用いられ、インシュレータ１０と、該インシュレータ１０に装着されるＨ字形状を呈する導電端子２０と、インシュレータ１０に開放状態と閉鎖状態との間で回転可能に組み付けられるアクチュエータ３０と、インシュレータ１０の両端部に装着され、アクチュエータ１０を保持するための保持部材４０と、を含む。
【０００８】
前記インシュレータ１０は、ＦＰＣ６を収容するための収容空間１１と、収容空間１１の上方に位置する天板（参照記号なし）と、収容空間１１の下方に位置する底板（参照記号なし）と、を有する。前記Ｈ字形状を呈する導電端子２０は、連接部２５と、連接部２５から延出するように対向した上接触アーム２１及び下接触アーム２２と、連接部２５から前記接触アームの反方向に沿って延在するように形成される枢支アーム２３及び半田部２４とを含み、上下接触アーム２１、２２には、前記収容空間１１へ突出するコンタクト部を有する。
【０００９】
前記アクチュエータ３０は、複数の枢支部３１と両端部にそれぞれ形成される一対の軸部３５とを含み、枢支部３１が導電端子２０の枢支アーム２３と半田部２４との間に対応し装着され、軸部３５が前記保持部材４０に形成された孔４１に可動可能に収容するので、該軸部３５が保持部材４０とインシュレータ１０との間に回転可能になっている。前記枢支部３１がカム状を呈し、アクチュエータ３０が開放状態において、ＦＰＣがゼロ挿入力で収容空間１１に挿入されて導電端子２０の上下接触アーム２１、２２との間に挿入され、アクチュエータ３０が閉鎖状態において、枢支部３１により導電端子２０の上下接触アーム２１、２２をＦＰＣ６に押圧し接続させるので、ＦＰＣ６と導電端子２０との間に電気的な接続を達成できる。
【００１０】
図２乃至図５を参照すると、本発明の電気コネクタは、ＦＰＣ６を収容空間１１に保持するためのロック部材を有し、該ロック部材はアクチュエータ３０の両端部からそれぞれ垂直に突出するように形成される一対の係合部３２とＦＰＣ６の両側にそれぞれ形成される一対の溝部６２とを含む。前記アクチュエータ３０の両端部には係合部３２に隣接するように一対の押圧部３３がそれぞれ突出し形成され、ＦＰＣ６の挿入方向で、押圧部３３が係合部３２より前記枢支部３１に接近し、かつ、係合部３２の突出する高さが押圧部３３の突出する高さより高くなっている。前記インシュレータ１０の天板には係合部３２と押圧部３３とを収容するための貫通溝１２が形成され、その底板には係合部３２を収容するための収容凹部１４（図５に示す）が形成される。
【００１１】
前記ＦＰＣ６を収容空間１１に挿入する際に、前記一対の溝部６２と貫通溝１２と収容凹部１４とが互いに対応し、アクチュエータ３０を閉鎖状態へ回転する際に、係合部３２が貫通溝１２と溝部６２とを貫通して前記収容凹部１４に収容され、押圧部３３が貫通溝１２を貫通してＦＰＣ６の端部に押圧することにより、ＦＰＣがインシュレータ１０に保持され、更に、導電端子２０とＦＰＣ６との間は安定に接続している。また、図５に示す、アクチュエータ３０は、前記係合部３２の一側にそれぞれ形成される一対の錠止部３４を有し、インシュレータ１０の天板には、前記貫通溝１２に連通するように錠止部３４を収容するための錠止溝１３が形成される。アクチュエータ３０が閉鎖状態において、錠止部３４が前記インシュレータ１０の錠止溝１３に係合し収容されることにより、アクチュエータ３０がインシュレータ１０に保持される。
【００１２】
導電端子２０の接触アーム２１、２２とＦＰＣとの間の摩擦抵抗力に加えて、押圧部３３とＦＰＣ６の端部との間の摩擦抵抗力と、係合部３２と溝部６２との間の係合した係合力とにより、ＦＰＣ６と導電端子２０との間で安定な接続を達成することができる。さらに、係合部３２が溝部６２に係合することにより、ＦＰＣがインシュレータ１０の収容空間１１から外れることが防止できる。また、ＦＰＣ６が収容空間１１に完全に挿入されていない際に、前記係合部３２がＦＰＣ６の溝部６２を貫通していないため、アクチュエータ３０がインシュレータ１０より高い位置にあることで、ＦＰＣ６が収容空間１１に完全に挿入されていないかどうかを検出できる。
【００１３】
図７を参照して、本発明の電気コネクタの第２実施形態について説明する。第１実施形態の電気コネクタと異なるのは、係合部３２’の断面が、半楕円形形状を呈し、それに対応して貫通溝１２’と収容凹部１４’も楕円形形状を呈し呈している点にある。また、貫通溝１２’と収容凹部１４がＦＰＣ６’の抜出方向、すなわちインシュレータの幅方向に横断し、ＦＰＣ６’の溝部６２’もそれに対応して楕円形状を呈している。
【００１４】
図８を参照して、本発明の電気コネクタの第３実施形態について説明する。第１実施形態の電気コネクタと異なるのは、係合部３２”の断面が、楕円形状を呈し、貫通溝１２”と収容凹部１４”もそれに対応して楕円形形状を呈することである。もちろん、係合部の断面が他の形状を呈している。
【００１５】
以上、本発明について好ましい実施形態を参照して詳細に説明したが、実施形態はあくまでも例示的なものであり、これらに限定されるものではない。また上述の説明は、本発明に基づき成し得る細部の修正或は変更などは、いずれも本発明の技術的範囲に属するものである。
【図面の簡単な説明】
【００１６】
【図１】本発明における第１実施形態の電気コネクタの分解斜視図である。
【図２】アクチュエータが開放状態にあるときの、ＦＰＣがまだ挿入されていない本発明における第１実施形態の電気コネクタの組立斜視図である。
【図３】アクチュエータが開放状態にあるときの、ＦＰＣが挿入された本発明における第１実施形態の電気コネクタの組立斜視図である。
【図４】アクチュエータが閉鎖状態にあるときの、ＦＰＣが挿入された本発明における第１実施形態の電気コネクタの組立斜視図である。
【図５】図４に示す第１実施形態の電気コネクタのＡ-Ａ線で切断した断面であり、アクチュエータとＦＰＣが係合状態にあるときの断面図である。
【図６】図４に示す第１実施形態の電気コネクタのＡ-Ａ線で切断した断面であり、ＦＰＣが完全に挿入されず、アクチュエータが閉鎖状態に位置できないときの断面図である。
【図７】本発明における第２実施形態の電気コネクタの斜視図である。
【図８】本発明における第３実施形態の電気コネクタの斜視図である。
【符号の説明】
【００１７】
５  回路基板
６  ＦＰＣ
１０  インシュレータ
１１  収容空間
１２、１２’、１２”  貫通溝
１３  錠止溝
１４、１４’、１４”  収容凹部
２０  導電端子
２１  上接触アーム
２２  下接触アーム
２３  枢支アーム
２４  半田部
２５  連接部
３０  アクチュエータ
３１  枢支部
３２、３２’、 ３２”  係合部
３３  押圧部
３４  錠止部
３５  軸部
４０  保持部材
６２  溝部
【図１】
2007250524.tif 000003
【図２】
2007250524.tif 000004
【図３】
2007250524.tif 000005
【図４】
2007250524.tif 000006
【図５】
2007250524.tif 000007
【図６】
2007250524.tif 000008
【図７】
2007250524.tif 000009
【図８】
2007250524.tif 000010